(57)【要約】  室内の人に不快感を与えることなく、室内の清浄化に必要な時間を短縮することが可能な空気清浄機を提供する。  空気清浄機（１）の作動時には、吸込口（３）からケーシング（２）の内部に吸込んだ空気を清浄化装置（７）により清浄化し、この空気を吹出口（４）から外部に吹出す。制御装置（１２）は、空気清浄機（１）のユーザが風量を指定する特定の運転モードを選択した場合に、風量保持制御を実行する。風量保持制御では、送風装置（５）により吹出口（４）から吹出す空気の風量を一定に保持した状態で、汚染物質の検出状態に基いて空気の風速を導風装置（８）により変化させる。または、導風装置（８）により風速を変化させると共に送風装置（５）により風量を変化させる。これにより、室内の人に吹かれ感を与えることなく、塵埃の除去効率を向上させることができ、ユーザの快適性を維持しつつ、室内の清浄化に必要な時間を短縮することができる。
2015060107.tif 000002
【特許請求の範囲】
【請求項１】
空気の吸込口及び吹出口を有するケーシングと、  前記吸込口から前記ケーシングの内部に空気を吸込んで当該空気を前記吹出口から吹出す送風装置と、  前記ケーシングの内部を流れる空気を清浄化する清浄化装置と、  前記送風装置により前記ケーシングの内部に発生させた気流の流路面積を変更することが可能な導風装置と、  前記送風装置及び前記導風装置を制御する制御装置と、  を備えた空気清浄機。
【請求項２】
前記導風装置は、基端側が前記ケーシング側に揺動可能に設けられて先端側が前記気流の流路に突出した可動体を備え、前記可動体の揺動位置に応じて前記流路面積を変更する構成とした請求項１に記載の空気清浄機。
【請求項３】
前記導風装置は、前記気流の流路に対して進入及び後退する方向にスライド可能な可動体を備え、前記可動体のスライド位置に応じて前記流路面積を変更する構成とした請求項１に記載の空気清浄機。
【請求項４】
１組の前記可動体を前記気流の流路を挟んで互いに対向するように配置し、当該１組の可動体が互いに近接及び離間することにより前記流路面積を変更する構成とした請求項２または３に記載の空気清浄機。
【請求項５】
複数の前記可動体を前記気流の流れ方向と直交する方向に並べて配置し、当該複数の可動体が個別に揺動することにより前記気流の流路断面上の複数個所でそれぞれ前記流路面積を変更する構成とした請求項２から４のうち何れか１項に記載の空気清浄機。
【請求項６】
複数の前記可動体が前記吹出口の一部を閉塞させることにより前記流路面積を変更する構成とした請求項２から５のうち何れか１項に記載の空気清浄機。
【請求項７】
前記吹出口から吹出す空気の風量を一定に保持した状態で、当該空気の風速を前記導風装置により変化させる構成とした請求項１から６のうち何れか１項に記載の空気清浄機。
【請求項８】
前記吹出口から吹出す空気の風量と共に当該空気の風速を、前記導風装置により変化させる構成とした請求項１から７のうち何れか１項に記載の空気清浄機。
【請求項９】
空気中の汚染物質の量を検出する汚染物質検出装置と、  前記送風装置により前記吹出口から吹出す空気の風量を一定に保持した状態で当該空気の風速を変化させる風量保持制御手段と、を備え、  前記風量保持制御手段は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした請求項１から７のうち何れか１項に記載の空気清浄機。
【請求項１０】
室内の人を検出する人検出装置と、室内の障害物を検出する障害物検出装置と、室内の広さを検出する広さ検出装置のうち少なくとも１つの検出装置を備え、前記制御装置は、当該検出装置及び前記汚染物質検出装置の検出結果に基いて前記吹出口から吹出す空気の吹出方向及び風量を制御する構成とした請求項９に記載の空気清浄機。
【発明の詳細な説明】
【技術分野】
【０００１】  本発明は、吸込んだ空気を清浄化して吹出す機能を備えた空気清浄機に関する。
【背景技術】
【０００２】  従来技術として、例えば特許文献１に記載されたような空気清浄機が知られている。従来技術の空気清浄機は、空気中に含まれる汚染物質の濃度を検出する手段と、空気の吹出し風量を制御する手段とを備えている。そして、この空気清浄機は、室内の空気を循環させながら汚染物質の濃度を監視することにより、汚れ発生源を捕捉してファン強度（吹出し風量）を変更し、室内の清浄化に必要な時間を短縮するようにしている。【０００３】  他の従来技術としては、例えば特許文献２に記載されたような空気清浄機も知られている。この空気清浄機は、室内に存在する人を検知して、人に風が当らないように空気の吹出し方向を制御する。これにより、他の従来技術では、空気清浄機から吹出す風が人に不快感を与えないようにしている。
【先行技術文献】
【特許文献】
【０００４】
【特許文献１】日本特許第２８５４６１５号公報
【特許文献２】日本特公昭６１−３８７７８号公報
【発明の概要】
【発明が解決しようとする課題】
【０００５】  上述した特許文献１に記載の従来技術では、ファン強度を変更して吹出し風量を制御し、空気を汚れ発生源の方向に選択的に吹出すことにより、汚染物質を除去する制御を採用している。しかしながら、この制御では、室内を循環する気流の風量が上昇し、この気流が室内の人に当ることにより不快感を与えるという問題がある。【０００６】  一方、特許文献２に記載の従来技術では、室内の人に風を当てないように空気の吹出し方向を制御するので、不快感を与えることはないものの、人を回避して空気を吹出す分だけ室内の清浄化に必要な時間が長くなるという問題がある。【０００７】  本発明は、上述の課題を解決するためになされたもので、室内の人に不快感を与えることなく、室内の清浄化に必要な時間を短縮することが可能な空気清浄機を提供することを目的としている。
【課題を解決するための手段】
【０００８】  この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、送風装置によりケーシングの内部に発生させた気流の流路面積を変更することが可能な導風装置と、送風装置及び導風装置を制御する制御装置と、を備えている。
【発明の効果】
【０００９】  この発明によれば、室内の人に吹かれ感を与えることなく、塵埃の除去効率を向上させることができる。従って、ユーザの快適性を維持しつつ、室内の清浄化に必要な時間を短縮することができる。
【図面の簡単な説明】
【００１０】
【図１】本発明の実施の形態１による空気清浄機を示す斜視図である。
【図２】図１中の矢示Ａ−Ａ線に沿って破断した空気清浄機を示す縦断面図である。
【図３】本発明の実施の形態１において、空気清浄機の風量を一定に保持した状態での風速と塵埃の除去効率との関係を示す実験データである。
【図４】本発明の実施の形態２による空気清浄機を示す縦断面図である。
【図５】本発明の実施の形態３による空気清浄機を示す斜視図である。
【図６】本発明の実施の形態４による空気清浄機を示す縦断面図である。
【図７】本発明の実施の形態５による空気清浄機を示す縦断面図である。
【発明を実施するための形態】
【００１１】  以下、本発明の実施の形態について説明する。なお、本明細書で使用する各図においては、共通する要素に同一の符号を付し、重複する説明を省略するものとする。
【００１２】実施の形態１．  図１から図３は本発明の実施の形態１を示している。図１は、本発明の実施の形態１による空気清浄機を示す斜視図であり、図２は、図１中の矢示Ａ−Ａ線に沿って破断した空気清浄機を示す縦断面図である。これらの図に示すように、本実施の形態による空気清浄機１は、ケーシング２、吸込口３、吹出口４、送風装置５、清浄化装置７、導風装置８、制御装置１２等を備えている。なお、空気清浄機１は、例えば室内の何れかの壁面に近い位置に設置され、ケーシング２の後面部を当該壁面に向けると共にケーシング２の前面部を室内の空間に向けた状態で運転される。
【００１３】  ケーシング２は、例えば四角形の箱形状に形成され、その内部には、送風装置５、清浄化装置７、制御装置１２等が収容されている。ケーシング２の前面部には、室内の空気をケーシング２内に吸込むための吸込口３が設けられ、ケーシング２の上面部には、ケーシング２内に吸込んだ空気を吹出すための吹出口４が設けられている。吹出口４は、例えば細長い四角形状の開口部として形成され、ケーシング２の前方からみて左右方向に延在している。従って、長方形状をなす吹出口４の開口端の２つの長辺は、ケーシング２の前後方向において互いに対向している。
【００１４】  送風装置５は、吸込口３からケーシング２内に空気を吸込んで当該空気を吹出口４から吹出すもので、例えば電動ファン等により構成されている。送風装置５の吹出側は、風路６を介して吹出口４に接続されている。風路６は、略筒状のダクト等により構成され、送風装置５から吹出す空気を吹出口４に導入しつつ、当該空気がケーシング２内に漏れるのを防止するものである。なお、ケーシング２の内部には、風路６以外にも、送風装置５により発生させた気流を整流する整流構造を設けてもよい。
【００１５】  清浄化装置７は、送風装置５によりケーシング２内に吸込まれた空気を清浄化するもので、送風装置５の吸込側と吸込口３との間に配置されている。ケーシング２内に吸込まれた空気は、清浄化装置７を通過することにより清浄化された後に、吹出口４から吹出される。ここで、「清浄化」とは、例えば空気中に浮遊する塵埃、煙、ウイルス、菌、カビ、アレルゲン、臭気分子等からなる汚染物質を除去することを意味するもので、より具体的には、これらの汚染物質を捕集したり、不活性化したり、吸着及び分解する動作を意味している。清浄化装置７としては、例えば空気を濾過するフィルタ、電極間に高電界または活性酸素を発生させて汚染物質を除去する電圧印加デバイス、当該電圧印加デバイスとフィルタとを組合わせた機構等が用いられる。
【００１６】  導風装置８は、送風装置５によりケーシング２の内部に発生させた気流の流路面積を変更するもので、具体的には、吹出口４の開口面積を変更する。導風装置８は、１組（２個）の可動体８Ａ，８Ｂと、駆動部８Ｃ，８Ｄとを備えている。可動体８Ａ，８Ｂは、ケーシング２の左右方向において、例えば吹出口４と同様の寸法を有する長方形状の平板等により形成され、吹出口４の全長にわたって延在している。そして、可動体８Ａ，８Ｂは、一方の長辺側である基端側が吹出口４の開口端に対応する位置でケーシング２に揺動可能に取付けられている。また、可動体８Ａ，８Ｂの他方の長辺側である先端側は、吹出口４の開口を覆う位置、即ち、気流の流路を遮る位置に突出している。
【００１７】  可動体８Ａ，８Ｂのうち一方の可動体８Ａは、吹出口４の前側の開口端に取付けられ、他方の可動体８Ｂは、吹出口４の後側の開口端に取付けられている。即ち、１組の可動体８Ａ，８Ｂは、吹出口４から吹出す気流の流路を挟んでケーシング２の前後方向で互いに対向するように配置されている。一方、駆動部８Ｃ，８Ｄは、可動体８Ａ，８Ｂを揺動させるための機構であり、図示しないモータ等を備えている。
【００１８】  そして、導風装置８は、駆動部８Ｃ，８Ｄにより可動体８Ａ，８Ｂの少なくとも一方を揺動させることにより、可動体８Ａ，８Ｂの揺動位置に応じて気流の流路面積を変更することができる。この場合、可動体８Ａ，８Ｂの先端側は、互いに近接及び離間するように揺動し、当該先端側の間に形成される流路の面積を変更するように構成されている。また、導風装置８は、可動体８Ａ，８Ｂを非対称に揺動させることにより、吹出口４から吹出す空気の吹出方向を前方と上方との間で上下方向にスイングさせることができる。なお、以下の説明では、上下方向に対する空気の吹出方向を「吹出角度」と表記する。
【００１９】  上記導風装置８によれば、１組の可動体８Ａ，８Ｂを近接及び離間させたり、非対称に揺動させることにより、吹出口４から吹出す気流の流路面積及び吹出角度を変更することができる。従って、流路面積及び吹出角度が変更可能な機構を１組の可動体８Ａ，８Ｂにより簡単な構成で実現することができる。
【００２０】  次に、本実施の形態による空気清浄機１の制御系統について説明する。空気清浄機１は、汚染物質検出装置１０及び外部検出装置１１を含むセンサ系統と、制御装置１２とを備えている。汚染物質検出装置１０は、ケーシング２内に吸込んだ空気中の汚染物質の量を検出するもので、例えばケーシング２内で清浄化装置７の上流側に配置されている。また、汚染物質検出装置１０は、例えば埃センサ、ガスセンサ、風速センサ等を組合わせた複合型センサにより構成されている。
【００２１】  ここで、埃センサは、半導体素子、光学素子等により構成され、空気中における塵埃の濃度を検出する。ガスセンサは、半導体素子等により構成され、臭気分子、ＶＯＣ等の有害ガスを検出する。風速センサは、超音波素子等により構成され、風速の変動を電流値に変換する。そして、これらのセンサによる検出結果は、汚染物質検出装置１０から制御装置１２に出力される。なお、上記各センサの組合わせは一例に過ぎないもので、本発明は、上記各センサの組合わせによる汚染物質検出装置１０に限定されるものではない。
【００２２】  外部検出装置１１は、空気清浄機１の設置環境を検出するもので、例えばケーシング２の前面部に設けられている。また、外部検出装置１１は、障害物センサ、動体センサ、サーモグラフィ、湿度センサ等を組合わせた複合型センサにより構成され、対象物の検出方向を変化させることが可能な可動機構（図示せず）を備えている。ここで、障害物センサは光センサ、超音波センサ、画像認識センサ等により構成され、室内における障害物の有無、壁面までの距離（即ち、室内の広さ）等を検出する。動体センサは、光センサ、温度センサ等により構成され、照度、温度等の変化を検出することにより、人間及び動物等の動きを捕捉する。
【００２３】  サーモグラフィは、人間及び動物と、無生物である障害物とを温度に基いて識別することができる。また、湿度センサの出力は、上記各センサの感度を空気中の湿度に応じて補正するときに用いられる。なお、外部検出装置１１においても、上記各センサの組合わせは一例に過ぎないもので、本発明は、上記各センサの組合わせによる外部検出装置１１に限定されるものではない。より具体的に述べると、外部検出装置１１は、室内の人を検出する人検出装置と、室内の障害物を検出する障害物検出装置と、室内の広さを検出する広さ検出装置のうち少なくとも１つの検出装置を備えていればよい。
【００２４】  制御装置１２は、送風装置５及び導風装置８を含めて空気清浄機１の作動状態を制御するもので、図示しない演算処理装置、入出力ポート及び記憶回路等を備えている。制御装置１２の入力側には前記センサ系統が接続され、制御装置１２の出力側には、送風装置５、導風装置８の駆動部８Ｃ，８Ｄ等を含むアクチュエータが接続されている。そして、制御装置１２は、センサ系統の出力に基いてアクチュエータを駆動することにより、空気清浄機１を作動させる。
【００２５】  次に、本実施の形態による空気清浄機１の動作について説明する。空気清浄機１が作動すると、制御装置１２は、送風装置５、導風装置８及び前記センサ系統を駆動する。これにより、ケーシング２の内部には、吸込口３から空気が吸込まれ、この空気は清浄化装置７により清浄化された後に、送風装置５及び風路６を介して吹出口４から外部に吹出される。このとき、制御装置１２は、センサ系統により室内の広さ、障害物等に関する情報を検出する。この情報には、室内の最も遠い壁面までの距離に関する情報も含まれている。
【００２６】  制御装置１２は、これらの情報に基いて導風装置８の駆動部８Ｃ，８Ｄにより可動体８Ａ，８Ｂを揺動させ、吹出口４から吹出す空気の吹出角度を調整すると共に、送風装置５に搭載されたファンの回転数を調整する。これにより、吹出口４から吹出す空気の吹出角度及び風量は、室内の広さ、障害物に応じて最適な状態に制御される。この最適な状態の一例を挙げると、制御装置１２は、吹出口４から前方の斜め上方に向けて空気を吹出させる。この空気は、空気清浄機１から最も離れた壁面に近い位置で天井に当ってから、当該壁面に沿って下降し、更に床面に沿って空気清浄機１の位置まで戻るようになり、部屋全体を循環する。このように、室内の情報に基いて空気の吹出角度及び風量を制御することにより、吹出口４から吹出した空気を部屋全体に循環させつつ、当該空気を清浄化することができる。従って、室内の空気を短時間で効率よく清浄化することができる。
【００２７】（風量保持制御）  空気清浄機１のユーザが風量を指定する特定の運転モード（静音モード等）を選択した場合には、制御装置１２により風量保持制御が実行される。風量保持制御とは、吹出口４から吹出す空気の風量を一定に保持した状態で、汚染物質の検出状態等に基いて空気の風速を導風装置８により変化させるものである。具体例を挙げると、風量保持制御では、まず、ユーザが指定した風量等に基いて送風装置５（即ち、ファン）の目標回転数を決定し、送風装置５の実際の回転数を目標回転数と一致した状態に保持する。
【００２８】  風量保持制御では、送風装置５の回転数を一定に保持した状態において、ケーシング２内に吸込んだ空気中の汚染物質の量を汚染物質検出装置１０により検出する。そして、汚染物質の量が予め設定された規定値以上である場合には、導風装置８の可動体８Ａ，８Ｂを互いに近接させることにより、吹出口４から吹出す気流の流路面積を減少させる。この処理によれば、吹出口４から吹出す空気の風量及び風向を一定に保持しつつ、当該空気の風速を増加させることができる。これにより、室内を循環する気流と共に汚染物質を吸込口３に速やかに到達させることができる。従って、ユーザが指定した風量を維持しつつ、汚染物質の浄化効率を高めることができる。
【００２９】  また、上記処理により汚染物質の検出量が規定値未満に低下した場合には、可動体８Ａ，８Ｂを互いに離間させることにより、吹出口４から吹出す気流の流路面積を元の状態（規定値以上の汚染物質が検出される以前の状態）まで増加させる。この処理によれば、吹出口４から吹出す空気の風量及び風向を変化させることなく、当該空気の風速を元の状態に復帰させることができる。従って、風速を増加させる処理の継続時間を最低限に抑制することができる。
【００３０】（人避け制御）  一方、ユーザが人避けモードを選択した場合には、制御装置１２により人避け制御が実行される。人避け制御は、吹出口４から吹出す空気が人に当らないように、導風装置８の可動体８Ａ，８Ｂにより空気の吹出角度を制御するものである。人避け制御の実行中には、吹出口４から吹出す気流の流路面積を汚染物質の検出量に応じて可動体８Ａ，８Ｂにより増減させる前述の処理を同時に実行してもよい。
【００３１】  次に、図３を参照して、本実施の形態の制御による効果について説明する。図３は、本発明の実施の形態１において、空気清浄機の風量を一定に保持した状態での風速と塵埃の除去効率との関係を示す実験データである。この実験データは、塵埃を発生させた実験室内で空気清浄機１を作動させ、実験室内の９箇所のうちで塵埃の除去効果が得られた箇所の数（効果発現箇所数）を求めることにより得られたものである。効果発現箇所数とは、人が風を受けて不快となる感覚（吹かれ感）が生じないような一定の風量を保持し、かつ、所望の風速を発生させた状態において、塵埃の除去速度が一定の基準以上となった箇所の数として定義される。また、上記実験データは、風量を一定に保持した状態で、導風装置８により風速を４段階に変化させた場合の効果発現箇所数の変化を示している。
【００３２】  図３に示す実験データでは、吹出口４から吹出す空気の風速を大きくするほど、効果発現箇所数が増加することがわかる。このように、風量保持制御によれば、吹出す空気の風量を一定に保持した状態で風速を増大させることにより、室内の人に吹かれ感を与えることなく、塵埃の除去効率を向上させることができる。従って、ユーザの快適性を維持しつつ、室内の清浄化に必要な時間を短縮することができる。なお、実施の形態１では、風量保持制御が風量保持制御手段の具体例を示している。
【００３３】実施の形態２．  次に、図４を参照して、本発明の実施の形態２について説明する。図４は、本発明の実施の形態２による空気清浄機を示す縦断面図である。この図に示すように、本実施の形態による空気清浄機２１は、前記実施の形態１とほぼ同様に構成され、導風装置２２を備えている。しかし、導風装置２２は、吹出口４の後側の開口端に取付けられた１個の可動体２２Ａと、該可動体２２Ａを揺動させる駆動部２２Ｂとを備え、吹出口４の前側の開口端には可動体を配置しない構成となっている。
【００３４】  このように構成される本実施の形態でも、吹出口４から吹出す気流の流路面積を可動体２２Ａの揺動位置に応じて変更することができるので、実施の形態１とほぼ同様の効果を得ることができる。具体的に述べると、導風装置２２は、可動体２２Ａを前方に倒すように揺動することにより前記流路面積を減少させる。また、可動体２２Ａを上方に立てるように揺動することにより前記流路面積を増加させることができる。なお、吹出口４、風路６等の部位には、導風装置２２と連動して空気を整流する整流機構を設けてもよい。
【００３５】実施の形態３．  次に、図５を参照して、本発明の実施の形態３について説明する。図５は、本発明の実施の形態３による空気清浄機を示す斜視図である。この図に示すように、本実施の形態による空気清浄機３１は、前記実施の形態１とほぼ同様に構成され、導風装置３２を備えている。しかし、導風装置３２は、可動体３２Ａ，３２Ｂ及び可動体３２Ｃ，３２Ｄからなる２組（４個）の可動体と、これらの可動体３２Ａ，３２Ｂ，３２Ｃ，３２Ｄを揺動させる駆動部（図示せず）とを備えている。
【００３６】  可動体３２Ａ，３２Ｂ，３２Ｃ，３２Ｄは、ケーシング２の左右方向において、例えば吹出口４の半分の長さ寸法を有する長方形状の平板等により形成されている。そして、可動体３２Ａ，３２Ｃは、吹出口４の前側の開口端に揺動可能に取付けられ、吹出口４の長さ方向に並べて配置されている。他の可動体３２Ｂ，３２Ｄは、吹出口４の後側の開口端に揺動可能に取付けられ、吹出口４の長さ方向に並べて配置されている。なお、吹出口４の長さ方向は、吹出口４から吹出す気流の流れ方向と直交する方向であり、ケーシング２の左右方向と一致している。
【００３７】  即ち、２組の可動体３２Ａ，３２Ｂ及び可動体３２Ｃ，３２Ｄは、吹出口４から吹出す気流の流れ方向に対して並列に配置されている。そして、１組の可動体３２Ａ，３２Ｂは、吹出口４から吹出す気流の流路全体のうち前方からみて左半分の流路を挟んで配置され、ケーシング２の前後方向で互いに対向している。これらの可動体３２Ａ，３２Ｂは、駆動部により互いに近接及び離間するように揺動させたり、非対称に揺動させることができる。また、他の１組の可動体３２Ｃ，３２Ｄは、前方からみて右半分の流路を挟んで配置され、前後方向で互いに対向している。これらの可動体３２Ｃ，３２Ｄも、駆動部により可動体３２Ａ，３２Ｂと同様に揺動させることができる。
【００３８】  このように構成される本実施の形態によれば、吹出口４から吹出す気流の流路断面上の複数個所でそれぞれ流路面積及び吹出角度を個別に変更することができる。即ち、空気清浄機３１は、吹出口４の左半分から吹出す気流の風速及び吹出角度を可動体３２Ａ，３２Ｂにより変更し、吹出口４の右半分から吹出す気流の風速及び吹出角度を可動体３２Ｃ，３２Ｄにより変更することができる。従って、実施の形態１とほぼ同様の効果に加えて、吹出口４から複数の方向に空気を吹出したり、個々の方向において風速を異ならせることができ、室内における空気の流れを更に精度よく制御することができる。
【００３９】  なお、前記実施の形態３では、４個の可動体３２Ａ，３２Ｂ，３２Ｃ，３２Ｄをそれぞれ異なる駆動部により揺動させる構成としてもよいし、並んで配置された可動体３２Ａ，３２Ｃまたは可動体３２Ｂ，３２Ｄを共通の駆動部により揺動させてもよい。
【００４０】実施の形態４．  次に、図６を参照して、本発明の実施の形態４について説明する。図６は、本発明の実施の形態４による空気清浄機を示す縦断面図である。この図に示すように、本実施の形態による空気清浄機４１は、前記実施の形態１とほぼ同様に構成され、導風装置４２を備えている。しかし、導風装置４２は、スライド式の可動体４２Ａと、該可動体４２Ａをスライドさせる駆動部（図示せず）とを備えている。
【００４１】  可動体４２Ａは、例えば平板等により構成され、ケーシング２の左右方向において吹出口４と同様の長さ寸法を有している。また、可動体４２Ａは、吹出口４の開口端の近傍に形成された長溝等に嵌合され、吹出口４から吹出す気流の流路に対して垂直に進入及び後退する方向（例えば、ケーシング２の前後方向）にスライド可能となっている。そして、可動体４２Ａが気流の流路に進入する方向にスライドしたときには、吹出口４の開口面積、即ち、吹出口４から吹出す気流の流路面積が減少し、風速が増大する。また、可動体４２Ａが気流の流路から後退する方向にスライドしたときには、吹出口４の開口面積が大きくなるので、風速が減少する。
【００４２】  このように構成される本実施の形態でも、制御装置１２が駆動部を制御して可動体４２Ａをスライドさせることにより、可動体４２Ａのスライド位置に応じて前記流路面積を変更することができる。従って、前記実施の形態１とほぼ同様の効果を得ることができる。
【００４３】  なお、前記実施の形態３では、２組の可動体３２Ａ，３２Ｂ及び可動体３２Ｃ，３２Ｄを吹出口４から吹出す気流の流れ方向に対して並列に並べる構成とした。しかし、本発明はこれに限らず、３組以上の可動体を気流の流れ方向に対して並列に並べる構成としてもよい。これと同様に、前記実施の形態２，４では、２個以上の可動体２２Ａ，４２Ａを気流の流れ方向に対して並列に並べる構成としてもよい。
【００４４】実施の形態５．  前記実施の形態１では、導風装置８を構成する可動体８Ａ，８Ｂを吹出口４の前後に取付け、可動体８Ａ，８Ｂを互いに対向させる構成について説明した。しかし、本発明はこれに限らず、例えば図７に示すように、可動体８Ａ，８Ｂを前方を開口とするように取付ける構成としてもよい。図７は、本発明の実施の形態５による空気清浄機を示す縦断面図である。この図に示すように、本実施の形態の空気清浄機５１は、可動体８Ａが吹出口４の後部側に配置され、可動体８Ｂが吹出口４上に配置されている。これらの可動体８Ａ，８Ｂは、実施の形態１と同様に、駆動部８Ｃ，８Ｄによりそれぞれ独立に駆動される。
【００４５】  本実施の形態によれば、可動体８Ａ，８Ｂの一方で吹出口４の面積を一部遮ることができ、その分だけ流路の面積を狭くすることができる。これにより、吹出口４から吹出す空気の風速を高速化し、室内空気の清浄化に必要な時間を短縮することができる。なお、本実施の形態では、導風装置８が２個の可動体８Ａ，８Ｂを備える場合を例示した。しかし、本発明はこれに限らず、例えば３個以上の可動体を前後方向に並べることにより、導風装置８を構成してもよい。また、本発明では、２個以上の可動体を左右方向に並べる構成としてもよく、この場合にも、実施の形態５と同様の効果を得ることができる。
【００４６】  また、前記実施の形態１から５では、それぞれ個別の構成を例示したが、本発明は、これらの個々の構成のみに限定されるものではない。即ち、本発明では、例えば実施の形態１から４のうち組合わせが可能な複数の構成を組合わせることにより、単一の空気清浄機を実現してもよい。具体例を挙げると、本発明では、実施の形態１，４を組合わせることにより、スライド式の可動体４２Ａを吹出口４の前部側と後部側の両方に配置し、吹出口４の開口面積を両側から変更する構成としてもよい。
【００４７】実施の形態６．（風量可変制御）  前記実施の形態１では、風量保持制御について説明したが、実施の形態６では、風量を可変とする風量可変制御を実行することを特徴としている。風量可変制御では、例えば汚染物質検出装置１０により検出される汚染物質の検出量に応じて、風量と共に風速を変化させる構成としてもよい。この制御の具体例を挙げると、汚染物質の検出量が予め設定された基準値以上である場合には、送風装置５からの吹出し風量を増加させると共に、吹出口４から吹出す空気の風速を導風装置８により高速化する。上記風量可変制御によれば、室内の空気を清浄化するために必要な時間を、吹出し空気の風量が増加した分だけ短縮することができる。
【００４８】  一方、風量可変制御では、室内の空気が清浄化され、汚染物質の検出量が前記基準値未満となった場合に、吹出し空気の風量を元の量に戻す。即ち、吹出し空気の風量を、風量可変制御を開始する前の風量に減少させる。この結果、風量可変制御により風量を増加させる時間を必要最小限に抑制することができる。従って、大きな風量の送風よりユーザが吹かれ感を感じる時間を短縮し、ユーザの快適性を向上させることができる。なお、実施の形態６で説明した風量可変制御は、前記実施の形態１から５で図示した空気清浄機１，２１，３１，４１，５１の何れによっても実現可能である。
【符号の説明】
【００４９】１，２１，３１，４１，５１  空気清浄機，２  ケーシング，３  吸込口，４  吹出口，５  送風装置，６  風路，７  清浄化装置，８，２２，３２，４２  導風装置，８Ａ，８Ｂ，２２Ａ，３２Ａ，３２Ｂ，３２Ｃ，３２Ｄ，４２Ａ  可動体，８Ｃ，８Ｄ，２２Ｂ  駆動部，１０  汚染物質検出装置，１１  外部検出装置，１２  制御装置
【図１】
2015060107.tif 000003
【図２】
2015060107.tif 000004
【図３】
2015060107.tif 000005
【図４】
2015060107.tif 000006
【図５】
2015060107.tif 000007
【図６】
2015060107.tif 000008
【図７】
2015060107.tif 000009
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備えた空気清浄機。
【請求項２】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路面積を変更することが可能な導風装置と、
空気中の汚染物質の量を検出する汚染物質検出装置と、
前記送風装置及び前記導風装置を制御する機能を有し、前記汚染物質検出装置により検出された汚染物質の量に基いて前記導風装置により前記気流の流路面積を変化させる制御装置と、
を備えた空気清浄機。
【請求項３】
前記導風装置は、基端側が前記ケーシング側に揺動可能に設けられて先端側が前記気流の流路に突出した可動体を備え、前記可動体の揺動位置に応じて前記流路面積を変更する構成とした請求項２に記載の空気清浄機。
【請求項４】
前記導風装置は、前記気流の流路に対して進入及び後退する方向にスライド可能な可動体を備え、前記可動体のスライド位置に応じて前記流路面積を変更する構成とした請求項２に記載の空気清浄機。
【請求項５】
少なくとも２個の前記可動体を前記気流の流路を挟んで互いに対向するように配置し、該各可動体が互いに近接及び離間することにより前記流路面積を変更する構成とした請求項３または４に記載の空気清浄機。
【請求項６】
複数の前記可動体を前記気流の流れ方向と直交する方向に並べて配置し、当該複数の可動体が個別に揺動することにより前記気流の流路断面上の複数個所でそれぞれ前記流路面積を変更する構成とした請求項１，３から５のうち何れか１項に記載の空気清浄機。
【請求項７】
複数の前記可動体が前記吹出口の一部を閉塞させることにより前記流路面積を変更する構成とした請求項１，３から６のうち何れか１項に記載の空気清浄機。
【請求項８】
前記制御装置は、前記送風装置により前記吹出口から吹出す空気の風量を一定に保持した状態で、当該空気の風速を前記導風装置により変化させる構成とした請求項１から７のうち何れか１項に記載の空気清浄機。
【請求項９】
前記吹出口から吹出す空気の風量と共に当該空気の風速を、前記導風装置により変化させる構成とした請求項１から８のうち何れか１項に記載の空気清浄機。
【請求項１０】
空気中の汚染物質の量を検出する汚染物質検出装置と、
前記送風装置により前記吹出口から吹出す空気の風量を一定に保持した状態で当該空気の風速を変化させる風量保持制御手段と、を備え、
前記風量保持制御手段は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした請求項１に記載の空気清浄機。
【請求項１１】
前記制御装置は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした請求項２に記載の空気清浄機。
【請求項１２】
室内の人を検出する人検出装置と、室内の障害物を検出する障害物検出装置と、室内の広さを検出する広さ検出装置のうち少なくとも１つの検出装置を備え、前記制御装置は、当該検出装置及び前記汚染物質検出装置の検出結果に基いて前記吹出口から吹出す空気の吹出方向及び風量を制御する構成とした請求項１０または１１に記載の空気清浄機。
【手続補正２】
【補正対象書類名】明細書
【補正対象項目名】０００８
【補正方法】変更
【補正の内容】
【０００８】
この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備えている。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備え、
前記少なくとも２個の可動体は、前記吹出口の開口端に取付けられた第一可動体と、前記第一可動体と反対側の前記吹出口の開口端に取付けられた第二可動体とを含み、
前記導風装置は、前記第一可動体を揺動させる第一駆動部と、前記第二可動体を揺動させる第二駆動部とを備える空気清浄機。
【請求項２】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路面積を変更することが可能な導風装置と、
空気中の汚染物質の量を検出する汚染物質検出装置と、
前記送風装置及び前記導風装置を制御する機能を有し、前記汚染物質検出装置により検出された汚染物質の量に基いて前記導風装置により前記気流の流路面積を変化させる制御装置と、
を備えた空気清浄機。
【請求項３】
前記導風装置は、基端側が前記ケーシング側に揺動可能に設けられて先端側が前記気流の流路に突出した可動体を備え、前記可動体の揺動位置に応じて前記流路面積を変更する構成とした請求項２に記載の空気清浄機。
【請求項４】
前記導風装置は、前記気流の流路に対して進入及び後退する方向にスライド可能な可動体を備え、前記可動体のスライド位置に応じて前記流路面積を変更する構成とした請求項２に記載の空気清浄機。
【請求項５】
少なくとも２個の前記可動体を前記気流の流路を挟んで互いに対向するように配置し、該各可動体が互いに近接及び離間することにより前記流路面積を変更する構成とした請求項３または４に記載の空気清浄機。
【請求項６】
複数の前記可動体を前記気流の流れ方向と直交する方向に並べて配置し、当該複数の可動体が個別に揺動することにより前記気流の流路断面上の複数個所でそれぞれ前記流路面積を変更する構成とした請求項１，３から５のうち何れか１項に記載の空気清浄機。
【請求項７】
複数の前記可動体が前記吹出口の一部を閉塞させることにより前記流路面積を変更する構成とした請求項１，３から６のうち何れか１項に記載の空気清浄機。
【請求項８】
前記制御装置は、前記送風装置により前記吹出口から吹出す空気の風量を一定に保持した状態で、当該空気の風速を前記導風装置により変化させる構成とした請求項１から７のうち何れか１項に記載の空気清浄機。
【請求項９】
前記吹出口から吹出す空気の風量と共に当該空気の風速を、前記導風装置により変化させる構成とした請求項１から８のうち何れか１項に記載の空気清浄機。
【請求項１０】
空気中の汚染物質の量を検出する汚染物質検出装置と、
前記送風装置により前記吹出口から吹出す空気の風量を一定に保持した状態で当該空気の風速を変化させる風量保持制御手段と、を備え、
前記風量保持制御手段は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした請求項１に記載の空気清浄機。
【請求項１１】
前記制御装置は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした請求項２に記載の空気清浄機。
【請求項１２】
室内の人を検出する人検出装置と、室内の障害物を検出する障害物検出装置と、室内の広さを検出する広さ検出装置のうち少なくとも１つの検出装置を備え、前記制御装置は、当該検出装置及び前記汚染物質検出装置の検出結果に基いて前記吹出口から吹出す空気の吹出方向及び風量を制御する構成とした請求項１０または１１に記載の空気清浄機。
【請求項１３】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備え、
複数の前記可動体を前記気流の流れ方向と直交する方向に並べて配置し、当該複数の可動体が個別に揺動することにより前記気流の流路断面上の複数個所でそれぞれ前記流路面積を変更する構成とした空気清浄機。
【請求項１４】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備え、
複数の前記可動体が前記吹出口の一部を閉塞させることにより前記流路面積を変更する構成とした空気清浄機。
【請求項１５】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備え、
前記制御装置は、前記送風装置により前記吹出口から吹出す空気の風量を一定に保持した状態で、当該空気の風速を前記導風装置により変化させる構成とした空気清浄機。
【請求項１６】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
を備え、
前記吹出口から吹出す空気の風量と共に当該空気の風速を、前記導風装置により変化させる構成とした空気清浄機。
【請求項１７】
空気の吸込口及び吹出口を有するケーシングと、
前記吸込口から前記ケーシングの内部に空気を吸込んで当該空気を前記吹出口から吹出す送風装置と、
前記ケーシングの内部を流れる空気を清浄化する清浄化装置と、
前記吹出口から吹出す気流の流路を挟んで互いに対向する少なくとも２個の可動体を有し、該各可動体が互いに近接及び離間するように揺動することにより前記気流の流路面積及び吹出方向を変更することが可能な導風装置と、
前記送風装置及び前記導風装置を制御する制御装置と、
空気中の汚染物質の量を検出する汚染物質検出装置と、
前記送風装置により前記吹出口から吹出す空気の風量を一定に保持した状態で当該空気の風速を変化させる風量保持制御手段と、
を備え、
前記風量保持制御手段は、前記汚染物質検出装置により検出された汚染物質の量が規定値以上である場合に、前記導風装置により前記気流の流路面積を減少させ、汚染物質の量が前記規定値未満である場合に、前記気流の流路面積を増加させる構成とした空気清浄機。
【手続補正２】
【補正対象書類名】明細書
【補正対象項目名】０００８
【補正方法】変更
【補正の内容】
【０００８】
この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備え、少なくとも２個の可動体は、吹出口の開口端に取付けられた第一可動体と、第一可動体と反対側の吹出口の開口端に取付けられた第二可動体とを含み、導風装置は、第一可動体を揺動させる第一駆動部と、第二可動体を揺動させる第二駆動部とを備えている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路面積を変更することが可能な導風装置と、空気中の汚染物質の量を検出する汚染物質検出装置と、送風装置及び導風装置を制御する機能を有し、汚染物質検出装置により検出された汚染物質の量に基いて導風装置により気流の流路面積を変化させる制御装置と、を備えている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備え、複数の可動体を気流の流れ方向と直交する方向に並べて配置し、当該複数の可動体が個別に揺動することにより気流の流路断面上の複数個所でそれぞれ流路面積を変更する構成としている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備え、複数の可動体が吹出口の一部を閉塞させることにより流路面積を変更する構成としている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備え、制御装置は、送風装置により吹出口から吹出す空気の風量を一定に保持した状態で、当該空気の風速を導風装置により変化させる構成としている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、を備え、吹出口から吹出す空気の風量と共に当該空気の風速を、導風装置により変化させる構成としている。
また、この発明に係る空気清浄機は、空気の吸込口及び吹出口を有するケーシングと、吸込口からケーシングの内部に空気を吸込んで当該空気を吹出口から吹出す送風装置と、ケーシングの内部を流れる空気を清浄化する清浄化装置と、吹出口から吹出す気流の流路を挟んで互いに対向する少なくとも２個の可動体を有し、該各可動体が互いに近接及び離間するように揺動することにより気流の流路面積及び吹出方向を変更することが可能な導風装置と、送風装置及び導風装置を制御する制御装置と、空気中の汚染物質の量を検出する汚染物質検出装置と、送風装置により吹出口から吹出す空気の風量を一定に保持した状態で当該空気の風速を変化させる風量保持制御手段と、を備え、風量保持制御手段は、汚染物質検出装置により検出された汚染物質の量が規定値以上である場合に、導風装置により気流の流路面積を減少させ、汚染物質の量が規定値未満である場合に、気流の流路面積を増加させる構成としている。
【国際調査報告】
2015060107.tif 000010
2015060107.tif 000011
2015060107.tif 000012
2015060107.tif 000013